(57)【特許請求の範囲】
【請求項１】
入金された現金を収納するとともに、収納された現金を外部に出金するためのリサイクル可能な現金を収納する現金収納部と、
入金された現金を出金に使用できない５千円券及び損券を含むリサイクル外の現金を収納するリジェクトボックスとを備え、
入金された現金を前記現金収納部内に収納する入金処理及び前記現金収納部内より繰り出された現金を外部に出金処理する自動取引装置であって、
前記リジェクトボックスに収納される現金に対して、入金受け付けの処理を制限する設定値を設定し、
前記リジェクトボックスに収納されている現金が、前記設定値を超えた場合、入金取引を選択された後、入金受け付け画面に、５千円券及び損券を含むリサイクル外の現金の受け付けの処理を制限する表示を行い、入金された現金の内、前記リサイクル外の現金は入金制限返却画面を表示して返却し、リサイクル可能な現金は前記現金収納部に収納することを特徴とした自動取引装置。
【発明の詳細な説明】
【０００１】
【発明の属する技術分野】
本発明は、金庫及びスタッカより紙幣の払い出しを可能とする現金預金支払機等の自動取引装置に関し、特に、入金時鑑別された紙幣がリサイクル可能であれば、金庫及びスタッカに収納し、リサイクル不可能（損券／５千券など）であれば、リジェクトボックスに収納する自動取引装置に関する。
【０００２】
【従来の技術】
従来の自動取引装置では、入金処理時に正常鑑別された紙幣に関しては、スタッカ及び金庫に収納され、異常鑑別された（金種判別できなかった）紙幣は入出金口に返却を行い、さらには損券（金種判別できたが、再出金することのできない紙幣）やリサイクル外金種（５千券など）は、リジェクトボックスに収納する機構となっている。
【０００３】
リジェクトボックス内がフル（許容枚数超過）になると、装置稼働を停止する処置がとられていた。
【０００４】
【発明が解決しようとする課題】
前記従来のものは、リジェクトボックスがフルの時、装置稼働を停止する処置がとられるため、運用効率の低下につながり、長時間の運用に耐えられるものではなかった。
【０００５】
本発明は、このような従来の課題を解決し、入金取引において、リジェクトボックスに収納する媒体（損券／５千券など）を返却する入金制限処理を行うことにより、リジェクトボックスフルによる稼働停止を低減させることを目的とする。
【０００６】
【課題を解決するための手段】
図１は本発明の原理説明図である。図１中、２１は入出金口、２４ａ、２８ａは現金収納部、３２ａはリジェクトボックス、８２ａは表示手段である。
【０００７】
本発明は前記従来の課題を解決するため次のように構成した。
（１）：入金されたリサイクル可能な現金を収納する現金収納部２４ａ、２８ａと、リサイクル外の現金を収納するリジェクトボックス３２ａとを備え、前記現金収納部２４ａ、２８ａ内より繰り出された現金を外部に出金処理する自動取引装置であって、前記リジェクトボックス３２ａに収納される現金に対して、入金受け付けの処理を制限する設定値を設定できるようにする。
【０００８】
（２）：前記（１）の自動取引装置において、前記リジェクトボックス３２ａに収納されている現金が、前記設定値を超えた場合、入金されたリサイクル外の現金を返却する。
【０００９】
（３）：前記（１）又は（２）の自動取引装置において、前記入金受け付けの処理を制限する場合及び前記入金されたリサイクル外の現金を返却する場合、その表示を行う。
【００１０】
（作用）
前記構成に基づく作用を説明する。
スタッカ又は金庫等の現金収納部２４ａ、２８ａに入金されたリサイクル可能な現金を収納し、リジェクトボックス３２ａにリサイクル外の現金を収納し、前記現金収納部２４ａ、２８ａ内より繰り出された現金を外部に出金処理する自動取引装置であって、前記リジェクトボックス３２ａに収納される現金に対して、入金受け付けの処理を制限する設定値を設定できるようにする。このため、前記設定値を超えた場合入金処理でリジェクトボックスに現金を収納することは、なくなるため、リジェクトボックスフルによる装置休止率を低減できるとともに、仮にリジェクトボックスフルとなった場合でも、入金取引は行うことが十分可能となる。
【００１１】
また、前記リジェクトボックス３２ａに収納されている現金が、前記設定値を超えた場合、入金されたリサイクル外の現金を返却する。このため、顧客が間違ってリサイクル外の現金を入金しても、直ぐに再入金処理等の次の処理が可能となる。
【００１２】
さらに、前記入金受け付けの処理を制限する場合及び前記入金されたリサイクル外の現金を返却する場合、その表示を行う。このため、顧客は容易に入金制限処理状態を確認することができる。
【００１３】
【発明の実施の形態】
図２〜図６は本発明の実施の形態を示した図である。以下、図面に基づいて本発明の実施の形態を説明する。
（１）：自動預金支払機の説明
図２は自動預金支払機の構成図である。図２において、自動預金支払機は、対センタ又はターミナルコントロール２及び遠隔監視装置３と回線等で接続されている。自動預金支払機には、制御部１、ドキュメント出力及びカード読取書込部（ＤＯＣ）４、紙幣リサイクルユニット（ＢＲＵ）５、硬貨リサイクルユニット（ＣＲＵ）６、顧客操作部（ＵＯＰ）７、管理操作部（ＭＯＰ）８、ハードディスク装置９、フロッピーディスク装置１０、電源部１１が設けてある。
【００１４】
制御部１は、自動預金支払機全体の制御を行うものである。ドキュメント出力及びカード読取書込部（ＤＯＣ）４には、カード読取／書込イメージ読取プリンタ（ＣＩＰ）４１、通帳プリンタ（ＰＰＲ）４２が設けてあり、ＣＩＰ４１は、カードの読み取りや書き込みカードのエンボス部等の読み取りやレシートの印刷等を行うものであり、ＰＰＲ４２は、通帳の読み取りや印刷を行うものである。
【００１５】
紙幣リサイクルユニット（ＢＲＵ）５は、入金時鑑別された紙幣がリサイクル可能であれば、その紙幣の払い出しを可能とするものである。硬貨リサイクルユニット６は、入金時鑑別された硬貨がリサイクル可能であれば、その硬貨の払い出しを可能とするものである。
【００１６】
顧客操作部（ＵＯＰ）７には、カラーディスプレイ７１、タッチキーボード７２、音声ガイダンス７３、顧客センサ７４が設けてあり、カラーディスプレイ７１は、預金支払情報等を画面に表示するものである。タッチキーボード７２はタッチにより情報を入力するものである。音声ガイダンス７３は、音声により預金支払操作等の案内を行うものである。顧客センサ７４は、顧客が近づいたとき画面表示等を行い、顧客がいないときは省エネモードにするものである。
【００１７】
管理操作部（ＭＯＰ）８は、自動預金支払機の管理者（行員）が操作を行うものであり、ＩＤカードシステム電磁ロック制御８１、液晶ディスプレイ８２、キーボード８３が設けてある。ＩＤカードシステム電磁ロック制御８１は、ＩＤカードシステムにより正当な管理者に対し自動預金支払機の電磁ロック解除を行うものである。液晶ディスプレイ８２は、管理者に対する情報の表示を行うものである。キーボード８３は、管理者が情報を入力するものである。
【００１８】
ハードディスク装置９は、情報を格納するものである。フロッピーディスク装置１０は、情報を格納するものであり、フロッピーディスクに格納して情報の移動が可能なものである。電源部１１は、自動預金支払機に電力を供給するものである。
【００１９】
（２）：紙幣リサイクルユニット（ＢＲＵ）５の説明
図３は紙幣リサイクルユニットの構成図である。図３において、紙幣リサイクルユニット５には、入出金口２１、バッファプール部２２、鑑別部２３、Ｆスタッカ２４、Ｒスタッカ２５、Ｆスタッカプール部２６、Ｒスタッカプール部２７、Ｆ金庫２８、Ｒ金庫２９、Ｆ補充リジェクト３０、Ｒ補充リジェクト３１、運用リジェクト部３２、取り忘れ部３３、疑似券スタッカ３４が設けてある。
【００２０】
入出金口２１は、紙幣の入金及び出金を行うものである。バッファプール部２２は、入金及び出金の紙幣を一時プールするものである。鑑別部２３は、紙幣の種類、真偽等の鑑別を行うものである。Ｆスタッカ２４は、例えば千円券（種類は設定に変更できる）を収納するものである。Ｒスタッカ２５は、例えば万円券（種類は設定に変更できる）を収納するものである。Ｆスタッカプール部２６は、Ｆスタッカ２４に収納する紙幣を一時プールするものである。Ｒスタッカプール部２７は、Ｒスタッカ２５に収納する紙幣を一時プールするものである。
【００２１】
Ｆ金庫２８は、紙幣の補充、回収のため行員が取り外し可能なものである。Ｒ金庫２９は、紙幣の補充、回収のため行員が取り外し可能なものである。Ｆ補充リジェクト３０は、行員がＦ金庫をセットした時（又は運用開始時）にその金庫の紙幣を鑑別部２３で鑑別した不良紙幣を収納するものである（使用可能な紙幣は再度金庫に収納される）。Ｒ補充リジェクト３１は、行員がＲ金庫をセットした時（又は運用開始時）にその金庫の紙幣を鑑別部２３で鑑別した不良紙幣を収納するものである（使用可能な紙幣は再度金庫に収納される）。
【００２２】
運用リジェクト部３２は、自動預金支払機の運用時の不良紙幣及びリサイクルに使用されない紙幣（５千円券等）を収納するリジェクトボックスである。取り忘れ部３３は、顧客が取り忘れた紙幣を収納するものである。疑似券スタッカ３４は、ジャム等が発生した時、正常に動作するか確認するための疑似紙幣を収納するものである。なお、この疑似紙幣は、紙幣の取り忘れが複数回発生した時（取り忘れ部３３内で）、それを分けるための仕切り紙としても使用される。
【００２３】
（２）：紙幣リサイクルユニット（ＢＲＵ）５の動作説明
ａ）通常の入金処理の説明
入金取引にて、入出金口２１より挿入された紙幣は、鑑別部２３により鑑別され、正常鑑別された紙幣は、バッファプール部２２に収納され、その後、顧客操作部（ＵＯＰ）７のタッチキーボード７２で顧客が確認ボタンを押すと、バッファプール部２２の紙幣は、Ｆスタッカプール部２６又はＲスタッカプール部２７に収納された後、Ｆスタッカ２４又はＲスタッカ２５に収納される。なお、Ｆスタッカ２４又はＲスタッカ２５がフルの時はＦ金庫２８又はＲ金庫２９に収納される。
【００２４】
また、異常鑑別された紙幣は、入出金口２１に返却し、顧客操作部（ＵＯＰ）７のカラーディスプレイ７１に「不良紙幣返却画面」を表示し、顧客に紙幣返却を促すことになる。
【００２５】
さらに、損券鑑別された紙幣又はノンリサイクル紙幣（５千円券等）は、バッファプール部２２に収納され、その後運用リジェクト部３２へ収納される。
ｂ）入金制限処理を行う場合の説明
運用リジェクト部３２に、例えば紙幣が４００枚程度収納されると、装置稼働停止の処理を行う現金預金支払機を想定し、入金制限処理を３００枚と設定（途中で損券が出る可能性があるため）し運用を行う。
【００２６】
ここで、通常の運用で、運用リジェクト部３２内の枚数が３００枚を超えた場合、次の入金取引から入金受け付け画面に「５千円券はお取り扱い出来ません」などのメッセージを表示する。また、この時、損券鑑別された紙幣又はノンリサイクル紙幣は、入出金口２１に返却し、顧客操作部（ＵＯＰ）７のカラーディスプレイ７１に「入金制限返却画面」を表示し、顧客に紙幣返却を促す。
【００２７】
（３）：フローチャートによる入金処理の説明
図４は入金処理フローチャートである。以下、自動預金支払機の入金処理を図４の処理Ｓ１〜処理Ｓ１０に従って説明する。
【００２８】
Ｓ１：制御部１は、運用リジェクト部３２内の枚数が入金制限設定枚数（ここでは３００枚）を超えているかを見て入金制限処理開始かどうかの判断をする。この判断で入金制限処理開始の場合は処理Ｓ２に移り、入金制限処理開始でない場合は処理Ｓ８に移る。
【００２９】
Ｓ２：制御部１は、現金挿入待ち処理を行う。即ち、顧客操作部（ＵＯＰ）７のカラーディスプレイ７１に「制限時の現金挿入待ち画面」を表示し（図５（ａ）参照）、処理Ｓ３に移る。
【００３０】
Ｓ３：制御部１は、入出金口２１の紙幣を鑑別部２３に搬送する現金入金処理を行い、処理Ｓ４に移る。
Ｓ４：制御部１は、鑑別部２３で現金鑑別処理を行い、処理Ｓ５に移る。
【００３１】
Ｓ５：制御部１は、鑑別結果でノンリサイクル紙幣があった場合は、処理Ｓ６に移る（正常鑑別された場合は処理Ｓ７に移る）。
Ｓ６：制御部１は、ノンリサイクル紙幣の返却処理を行う。即ち、顧客操作部（ＵＯＰ）７のカラーディスプレイ７１に「制限時の現金返却画面」を表示し（図５（ｂ）参照）、処理Ｓ７に移る。
【００３２】
Ｓ７：制御部１は、入金収納処理（正常鑑別紙幣をスタッカ又は金庫に収納する）を行い、処理Ｓ１に戻る。
Ｓ８：制御部１は、前記処理Ｓ１の判断で入金制限処理開始でない（通常入金）場合、現金挿入待ち処理を行う。即ち、顧客操作部（ＵＯＰ）７のカラーディスプレイ７１に「通常入金時の現金挿入待ち画面」を表示し、処理Ｓ３〜処理Ｓ５に移り、現金入金処理、現金鑑別処理を行い、処理Ｓ５の鑑別結果でノンリサイクル紙幣があった場合は処理Ｓ９に移る。
【００３３】
Ｓ９：制御部１は、入金収納処理（正常鑑別紙幣をスタッカ又は金庫に収納し、ノンリサイクル紙幣を運用リジェクト部３２内へ収納する）を行い、処理Ｓ１０に移る。
【００３４】
Ｓ１０：制御部１は、運用リジェクト部３２内の枚数が入金制限設定枚数より多く（運用リジェクト部３２内の枚数＞入金制限設定枚数）なれば、次の入金処理より制限処理を開始し、処理Ｓ１に移る。
【００３５】
（４）：顧客操作部（ＵＯＰ）７の表示画面の説明
図５は顧客操作部の表示画面の説明図であり、図５（ａ）は入金制限時の現金挿入待ち画面の説明、図５（ｂ）は入金制限時の現金返却画面の説明である。
【００３６】
図５（ａ）において、運用リジェクト部３２内の枚数が入金制限設定枚数を超えた場合、入金制限処理が開始される。この場合の顧客操作部（ＵＯＰ）７のカラーディスプレイ７１の画面表示例であり、通常入金の表示である「紙幣をのばしたうえ紙幣出入口にまとめてお入れください。」の次に「なお、５千円券または、いたんだ紙幣のうけつけはおこなえませんのでご注意ください。」の表示が追加される。
【００３７】
図５（ｂ）において、入金制限処理の開始後にノンリサイクル紙幣が入出金口２１に挿入された場合、ノンリサイクル紙幣の返却処理を行う。この場合の顧客操作部（ＵＯＰ）７のカラーディスプレイ７１の現金返却画面例である。この現金返却画面には、「紙幣返却  ５千円券または、いたんだ紙幣のうけつけはおこなえません。紙幣出入口の紙幣をお受け取りください。」の表示がある。
【００３８】
（５）：管理操作部（ＭＯＰ）８からの入金制限枚数設定画面の説明
図６は入金制限枚数設定画面の説明図である。図６において、入金制限枚数設定は、自動預金支払機の管理者である行員等が管理操作部（ＭＯＰ）８から設定を行うものである。入金制限枚数設定枚数は、画面の「＊＊＊」の位置に、運用リジェクト部３２の収納可能枚数である０〜４００枚が設定できる。
【００３９】
なお、図６の下側の「運用状態」は、このボタンが押されると通常の運用状態の表示画面となる。「係員処理」は、このボタンが押されると装置のリセット、各スタッカ内の現在の枚数の確認画面等の表示が行われる。図６の右側には、テンキー、入力した情報の確認のためのボタン等が設けてある。
【００４０】
以上実施の形態で説明したように、リジェクトボックス（運用リジェクト部３２）内枚数がある任意の設定枚数、またはハード的なセンサーにより、ある一定枚数以上リジェクトボックスに入っていることを検知した場合（入金制限設定枚数）は、入金処理を制限するものである。このために入金制限設定枚数を設定する手段を設け、入金処理時にリジェクトボックス内枚数が、入金制限設定枚数を上回っていた場合に限り、入金処理で発生したリサイクル外金種（損券、５千円券等）を入出金口２１に返却する制御を行うようにする。
【００４１】
このため、入金制限設定枚数をリジェクトボックス内枚数がオーバーした場合に入金処理でリジェクトボックスに収納する契機は、なくなるため、リジェクトボックスフル（許容枚数超過）による装置休止率を低減できるとともに、仮にリジェクトボックスフルとなった場合でも、入金取引は行うことが十分可能となる。
【００４２】
【発明の効果】
以上説明したように、本発明によれば次のような効果がある。
（１）：現金収納部に入金されたリサイクル可能な現金を収納し、リジェクトボックスにリサイクル外の現金を収納し、前記現金収納部内より繰り出された現金を外部に出金処理する自動取引装置であって、前記リジェクトボックスに収納される現金に対して、入金受け付けの処理を制限する設定値を設定できるようにするため、入金処理でリジェクトボックスに現金を収納することは、設定値を超えた場合、なくなるため、リジェクトボックスフルによる装置休止率を低減できるとともに、仮にリジェクトボックスフルとなった場合でも、入金取引は行うことが十分可能となる。
【００４３】
（２）：リジェクトボックスに収納されている現金が、設定値を超えた場合、入金されたリサイクル外の現金を返却するため、顧客が間違ってリサイクル外の現金を入金しても、直ぐに再入金処理等の次の処理が可能となる。
【００４４】
（３）：入金受け付けの処理を制限する場合及び入金されたリサイクル外の現金を返却する場合、その表示を行うため、顧客は容易に入金制限処理状態を確認することができる。
【図面の簡単な説明】
【図１】本発明の原理説明図である。
【図２】実施の形態における自動預金支払機の構成図である。
【図３】実施の形態における紙幣リサイクルユニットの構成図である。
【図４】実施の形態における入金処理フローチャートである。
【図５】実施の形態における顧客操作部の表示画面の説明図である。
【図６】実施の形態における入金制限枚数設定画面の説明図である。
【符号の説明】
２１  入出金口
２４ａ、２８ａ  現金収納部
３２ａ  リジェクトボックス
８２ａ  表示手段
【図１】
0004128666.tif 000002
【図２】
0004128666.tif 000003
【図３】
0004128666.tif 000004
【図４】
0004128666.tif 000005
【図５】
0004128666.tif 000006
【図６】
0004128666.tif 000007